(57)【要約】【課題】    本発明は、幼児や学童が安心して登り降りして遊ぶことができる堅固な山形状の遊戯具を提供する。【解決手段】  ユニット枠の一辺を成す多数の水平杆により桝目状の台枠を形成し、各ユニット枠の四隅に水平杆と同一長さの４本の傾斜杆の下端を夫々連結すると共に、その上端を結束した状態で連結して、下端が連接された複数の下段の正四角錐躯体を形成し、該下段の各正四角錐躯体の上端に、上記水平杆と同一長さの水平杆を架設し連結して上枠を形成し、この上枠の四隅に上記水平杆と同一長さの４本の傾斜杆の下端を連結すると共に、その上端を結束した状態で連結し、順次上段の正四角錐躯体を形成したことを特徴としている。【選択図】      図１
2008110092.tif 000002
【特許請求の範囲】
【請求項１】
ユニット枠の一辺を成す多数の水平杆により桝目状の台枠を形成し、各ユニット枠の四隅に水平杆と同一長さの４本の傾斜杆の下端を夫々連結すると共に、その上端を結束した状態で連結して、下端が連接された複数の下段の正四角錐躯体を形成し、該下段の各正四角錐躯体の上端に、上記水平杆と同一長さの水平杆を架設し連結して上枠を形成し、この上枠の四隅に上記水平杆と同一長さの４本の傾斜杆の下端を連結すると共に、その上端を結束した状態で連結して上段の正四角錐躯体を形成したことを特徴とする山形状の遊戯具。
【請求項２】
請求項１記載の山形状の遊戯具において、水平杆と傾斜杆の端部及び傾斜杆同士の端部に、第一連結金具における正三角形の２辺に曲成した固定翼片をボルト締めして上記の両杆を６０度の角度で連結し、１本の水平杆と２本の傾斜杆の端部に、第二連結金具における正三角片の各辺に曲成した３枚の固定翼片をボルト締めして互いに６０度の角度で連結したことを特徴とする山形状の遊戯具。
【発明の詳細な説明】
【技術分野】
【０００１】
本発明は、幼稚園、小学校の運動場等に設置し、幼児や学童が登り降りして遊ぶ山形状の遊戯具に関するものである。
【背景技術】
【０００２】
実公平５−４２８４８号公報には、棒状体の先端を、内部空間と開口部を有する球形状の連結具を用いて小三角錐を形成し、更に上記連結具を用いて複数の小三角錐を連接することにより、三角錐形状に構成した遊戯具が開示されている。
【０００３】
上記三角錐形状の遊戯具は、地面から頂点に及ぶ三角形状の側面が７０．５度と急斜面のため、幼児や低学年の学童が登るには危険性が高く、また地面に接する台枠が三角形状のため、その片面に大勢の子供が登るときは揺動し、子供に不安感を抱かせる虞がある。しかもこの場合の連結具は、球形体の外側面に棒状体の端面を当接させ、その端面に穿設したボルトの挿入孔に、球形体内から外側に貫通させたボルトの先端を指及び工具で回転させ螺合させることにより、各棒状体を連結するものであるから、組立てや保守作業が極めて困難である。しかも大勢の子供がよじ登り、棒状体に大きな振動や荷重が加わるときは、ボルトが変形したり締結に緩みを生ずる虞がある。
【特許文献１】実公平５−４２８４８号公報
【発明の開示】
【発明が解決しようとする課題】
【０００４】
本発明は、幼児や学童が安心して登り降りして遊ぶことができる堅固な山形状の遊戯具を提供しようとするものである。
【課題を解決するための手段】
【０００５】
本発明に係る請求項１の山形状の遊戯具は、ユニット枠の一辺を成す多数の水平杆により桝目状の台枠を形成し、各ユニット枠の四隅に水平杆と同一長さの４本の傾斜杆の下端を夫々連結すると共に、その上端を結束した状態で連結して、下端が連接された複数の下段の正四角錐躯体を形成し、該下段の各正四角錐躯体の上端に、上記水平杆と同一長さの水平杆を架設し連結して上枠を形成し、この上枠の四隅に上記水平杆と同一長さの４本の傾斜杆の下端を連結すると共に、その上端を結束した状態で連結して上段の正四角錐躯体を形成したことを特徴としている。
【０００６】
この請求項１の山形状の遊戯具は、水平杆を一辺とする正方形の複数のユニット枠により桝目状の台枠を形成し、各ユニット枠上に、水平杆と同一長さの４本の傾斜杆を用いて複数の下段の正四角錐躯体を形成する。形成された複数の正四角錐躯体上に、同様に同一長さの水平杆及び傾斜杆を用いて順次、数段の正四角錐躯体を形成するのである。
【０００７】
前記台枠を構成する水平枠の個数及び配列により、正四角錐躯体の積層段数は異なり、高さ及び形状が違った山形状の遊戯具が形成される。上記水平杆及び傾斜杆は、同一長さのものを使用する。また水平杆と傾斜杆が木材の場合は、請求項２の発明に係る連結具を使用するのが最も好ましいが、両杆が金属パイプとか硬質プラスチックパイプの場合は、２方向とか３方向の管継手を使用することも可能である。
【０００８】
請求項２の発明に係る山形状の遊戯具は、請求項１記載の山形状の遊戯具において、水平杆と傾斜杆の端部及び傾斜杆同士の端部に、第一連結金具における正三角形の２辺に曲成した固定翼片をボルト締めして上記の両杆を６０度の角度で連結し、１本の水平杆と２本の傾斜杆の端部に、第二連結金具における正三角片の各辺に曲成した３枚の固定翼片をボルト締めして互いに６０度の角度で連結したことを特徴としている。
【０００９】
上記請求項２の発明における第一連結金具は、正三角片の一辺を水平杆又は傾斜杆の軸心方向と一致させ、その辺に連設された固定翼片を水平杆又は傾斜杆杆の端部にボルトで固定し、正三角片の他辺を傾斜杆の軸心方向と一致させ、その辺に連設された固定翼片を傾斜杆の端部にボルトで固定すると、２本の杆が６０度の角度で連結される。また第二連結金具は、正三角片の各辺を１本の水平杆と２本の傾斜杆との軸心方向に夫々直交させて、各固定翼片を夫々の杆の端部にボルトで固定すると、３本の杆は夫々６０度の角度を保って連結される。
【００１０】
このように、第一連結金具及び第二連結金具により、同一長さの多数本の水平杆と傾斜杆を連結して複数の正四角錐躯体を並設し、更にその上に１段又は数段の正四角錐躯体を形成すれば、堅固な山形状の遊戯具が構成される。
【発明の効果】
【００１１】
本発明に係る請求項１の山形状の遊戯具は、正四角錐形状のため地面からの側面の傾斜角度は５４．７度であり、正三角錐形状のものと比較して傾斜角度が緩やかで安定性が高く、揺動する虞がないので、幼児や低学年の子供も容易に、且つ安心して登り降りすることができる。しかも三角側面が四個所のため、一度に大勢の子供達が登り降りすることができる。また台枠を構成するユニット枠の個数及び配列により、正四角錐躯体の積層段数は変わり、高さ及び形状が違った山形状の遊戯具を構成することができる。
【００１２】
請求項２の山形状の遊戯具は、請求項１記載の発明の効果に加え、第一連結金具と第二連結金具により、各水平杆及び傾斜杆を６０度の角度で容易に且つ堅固に連結することができる。しかも第一、第二連結金具の各杆へのボルト締めは、固定翼片間の広い空間を利用して行うため、組立作業が容易であり、分解或いは保守も容易である。
【発明を実施するための最良の形態】
【００１３】
図１〜図１５に従って、本発明に係る発明の実施形態を詳述する。図１は山形状の遊戯具の斜視図、図２は同上平面図、図３は同上側面図である。図４は組立て状態を示す斜視図であり、図５〜図９は山形状の遊戯具における連結部分を示す拡大図である、図１０は第一連結金具の正面図、図１１は同上平面図、図１２は図１０に示すＸ−Ｘ断面図である。図１３は第二連結金具の正面図、図１４は同上平面図、図１５は図１３に示すＹ−Ｙ断面図である。
【００１４】
図中の符号１は木製の水平杆であり、２は木製の傾斜杆である。この水平杆１と傾斜杆２は同一長さであり、丸棒の上下に平坦面１ａ、２ａを形成し、両端部にボルトの挿入孔３を穿設している。
【００１５】
符号Ａは正四角錐に構成された山形状の遊戯具である。この遊戯具Ａは、先ず地表面に上記水平杆１を田の字形に配設しての４個のユニット枠より成る台枠４を形成し、その各ユニット枠４ａと、各ユニット枠４ａの四隅に下端を連結し、上端を結束状態で連結した４本の傾斜杆２とにより、下段の４個の正四角錐躯体Ａ１を形成する。この４個の正四角錐躯体Ａ１の上端に水平杆１を架設して上枠５を形成し、その上枠５の四隅に夫々傾斜杆２の下端を連結し、上端を結束した状態で連結して上段の正四角錐躯体Ａ２を形成している。
【００１６】
上記水平杆１及び傾斜杆２は、第一連結金具Ｂ及び第２連結金具Ｃにより連結される。この第一連結金具Ｂは、図１０〜図１２に示すように正三角片６と、その２辺より５４．７度の角度で屈曲して形成した一対の固定翼片７とより成り、正三角片６の中央にはネジ孔８を、固定翼片７の中央にはボルトの挿入孔９を夫々穿設している。第二連結金具Ｃは、図１３〜図１５に示すように正三角片１０と、その３辺より５４．７度の角度で屈曲して形成した四角形の固定翼片１１とより成り、正三角片１０の中央にはネジ孔１２を、固定翼片１１の中央にはボルトの挿入孔１３を夫々穿設している。また第２連結金具Ｃの固定翼片１１同士は、正三角形の連結片１４により連結されている。
【００１７】
符号１５は第一連結金具Ｂのプラスチックカバーであり、図１〜図３に示すように、その外壁面は連結された水平杆１と傾斜杆２及び傾斜杆２と傾斜杆２の端部に馴染み、且つ左右両固定翼片７間の空間Ｓを被覆する形状を成している。また中央にはネジ１６の挿入孔を設けている。
【００１８】
符号１７は第二連結金具Ｃのプラスチックカバーであり、その外壁面は連結された１本のユニット杆１と２本のユニット杆２の端部に馴染み、且つ第二連結金具Ｃの３枚の固定翼片１１及び連結片１４間の空間Ｓを被覆する形状を成している。また中央にはネジ１６の挿入孔を設けている。尚、符号１８は適宜の正四角錐躯体Ａ１に張設したネットである。
【００１９】
上記実施形態の遊戯具は、図１、図４に示すように、地表面に水平杆１を桝目状に配置して、田の字型の台枠３を構成し、その外周の８本の水平杆１における平坦面１ａの両端に、夫々第一連結金具Ｂの一方の固定翼片７を重ね、挿入孔３及び９を合致させてボルト１９で固定する。この場合、正三角片５の一辺を水平杆１の軸心に平行させて固定する。
一方、台枠３の内側に十字型に配置された４本の水平杆１における平坦面１ａの両端に、第二連結金具Ｃの１枚の固定翼片１１をボルト１９により固定する。この場合、正三角片９の一辺を水平杆１の軸心に直交させて固定する。
【００２０】
次に、図５に示すように固定翼片６と固定翼片６との間、図６に示すように固定翼片７と固定翼片１１との間、及び図７に示すように固定翼片１１と固定翼片１１との間に夫々傾斜杆２の下端を挿入し、この傾斜杆２の平坦面２ａと各固定翼片７、１１をボルト１９で締結する。そして各傾斜杆２の上端を、図８に示すように結束状態に突き合わせ、外側位置の傾斜杆２と傾斜杆２の平坦面２ａは第一連結金具Ｂを用い、内側位置の傾斜杆２と傾斜杆２の平坦面２ａは第二連結金具Ｃを用いて、前記と同様にボルト締めすると、田の字型の台枠３上に４個の下段の正四角錐躯体Ａ１が形成される。
【００２１】
上記正四角錐躯体Ａ１の上端内側に水平に突出している第二連結金具Ｃの固定翼片１１上に、図８に鎖線で示すように水平杆１を架設し、この水平杆１の端部に重ねた第一連結金具Ｂの一方の固定翼片７を重ね、この固定翼片７と水平杆１と固定翼片１１をボルト１９で固定すると、上枠４が形成される。前記図５の場合と同様に上枠５の四隅に傾斜杆２を第一連結金具Ｂにより連結した後、図９に示すように、４本の傾斜杆２の上端を第一連結金具Ｂで連結すれば、上段の正四角錐躯体Ａ２が形成され、図１〜図３に示す山形状の遊戯具が構成される。
【００２２】
このように、上記実施形態における山形状の遊戯具は、水平杆１及び傾斜杆２の長さが同一であり、両端の定位置に穿設したボルト１９の挿入孔３に、第一連結金具Ｂの固定翼片７に穿設した挿入孔９，及び第二連結金具Ｃの固定翼片１１に穿設した挿入孔１３を合致させてボルト締めすることにより、容易に組み立てることができる。また図１６に示すように、台枠３におけるユニット枠３ａの数を増やすときは、正四角錐躯体Ａ１，Ａ２，Ａ３が形成され、大きさの異なる遊戯具が構成される。更に図１７、図１８に示すように、桝目状の台枠３の形状を変えることにより、変形した山形状の遊戯具が構成される。また図１６〜図１８に示すように、正四角錐躯体Ａ１，Ａ２の適宜箇所にネット１８を張設することにより、子供達が一層楽しく遊ぶことができる。
【００２３】
尚、第一連結金具Ｂ、第二連結金具Ｃにプラスチックカバー１５，１７を被せ、挿入孔に差込んだネジ１６の先端を正三角片６，１０のネジ孔８，１２に螺合すれば、第一連結金具Ｂ、第二連結金具Ｃは被覆され、空間Ｓが密閉される。そのため、子供達が上記連結金具に触れて手足を傷付けるとか、衣服を引っ掛けて破ってしまう虞がない。
【図面の簡単な説明】
【００２４】
【図１】本発明に係る山形状の遊戯具の実施の形態を示す斜視図である。
【図２】同上実施の形態の平面図である。
【図３】同上実施の形態の正面図である。
【図４】同上実施の形態における組立て状態を示す斜視図である。
【図５】同上実施の形態において、直角に付き合わせた２本の水平杆と傾斜杆の下端の連結状態を示す一部縦断平面図である。
【図６】同上実施の形態において、直線状に付き合わせた２本に水平杆と２本の傾斜杆の下端の連結状態を示す平面図である。
【図７】同上実施の形態において、十字状に付き合わせた４本の水平杆と４本の傾斜杆の下端の連結状態を示す平面図である。
【図８】同上実施の形態において、下段の正四角錐躯体における４本の傾斜杆の上端の連結状態を示す平面図である。
【図９】同上実施の形態において、上段の正四角錐躯体における４本の傾斜杆の上端の連結状態を示す平面図である。
【図１０】同上実施の形態における第一連結金具の正面図である。
【図１１】同上平面図である。
【図１２】図１０におけるＸ−Ｘ線の縦断面図である。
【図１３】同上実施の形態における第二連結金具の正面図である。
【図１４】同上平面図である。
【図１５】図１３におけるＹ−Ｙ線の縦断面図である。
【図１６】別の実施の形態における山形状の遊戯具を示す斜視図である。
【図１７】更に別の実施の形態における山形状の遊戯具を示す斜視図である。
【図１８】更に別の実施の形態における山形状の遊戯具を示す斜視図である。
【符号の説明】
【００２５】
Ａ        遊戯具
Ａ１      下段の正四角錐躯体
Ａ２      上段の正四角錐躯体
Ｂ        第一連結金具
Ｃ        第二連結金具
１        水平杆
２        傾斜杆
３        挿入孔
４        台  枠
４ａ      ユニット枠
５        上  枠
６        第一連結金具の正三角片
７        第一連結金具の固定翼片
８        ネジ孔
９        ボルトの挿入孔
１０      第二連結金具の正三角片
１１      第二連結金具の固定翼片
１２      ネジ孔
１３      ボルトの挿入孔
１４      連結片
１５      第一連結金具のプラスチックカバー
１６      ネ  ジ
１７      第二連結金具のプラスチックカバー
１８      ネット
１９      ボルト
【図１】
2008110092.tif 000003
【図２】
2008110092.tif 000004
【図３】
2008110092.tif 000005
【図４】
2008110092.tif 000006
【図５】
2008110092.tif 000007
【図６】
2008110092.tif 000008
【図７】
2008110092.tif 000009
【図８】
2008110092.tif 000010
【図９】
2008110092.tif 000011
【図１０】
2008110092.tif 000012
【図１１】
2008110092.tif 000013
【図１２】
2008110092.tif 000014
【図１３】
2008110092.tif 000015
【図１４】
2008110092.tif 000016
【図１５】
2008110092.tif 000017
【図１６】
2008110092.tif 000018
【図１７】
2008110092.tif 000019
【図１８】
2008110092.tif 000020